(57)【要約】【課題】  生産コストを削減させ、且つ確実に見栄えのよい製品を得る。【解決手段】  樹脂成型品の管理装置２は、カメラ本体を構成するフロントカバーＣｆ、リアカバーＣｒを作製する金型Ｄｆ１〜４、Ｄｒ１〜４のうち、いずれの金型で作製した樹脂成型品であるかを識別するための識別情報が記憶された無線ＩＤタグＩＤｆ、ＩＤｒを、フロントカバーＣｆ、リアカバーＣｒと一体成型する成型部１０と、金型Ｄｆ、Ｄｒから取り出されたフロントカバーＣｆ、リアカバーＣｒの無線ＩＤタグＩＤｆ、ＩＤｒから識別情報を読み取る情報読み取り部１１と、この読み取り結果に応じて、作製した金型毎にフロントカバーＣｆ、リアカバーＣｒを区別して仕分ける仕分け部１２とを備える。製品の組立時に、相性のよいフロントカバーＣｆおよびリアカバーＣｒの組み合わせの選別を簡単にすることができ、見栄えのよい製品を作製することができる。【選択図】        図１
2005335178.tif 000002
【特許請求の範囲】
【請求項１】
異なる種類で各々複数個用意された金型を用いて作製され、製品の組立時に合体される樹脂成型品を管理する方法であって、
前記複数個用意された金型のうち、いずれの金型で作製した樹脂成型品であるかを識別するための識別情報が記憶された無線ＩＤタグを、樹脂成型品と一体成型した後、
金型から取り出された樹脂成型品の前記無線ＩＤタグから前記識別情報を読み取り、
この読み取り結果に応じて、作製した金型毎に樹脂成型品を区別して仕分けることを特徴とする樹脂成型品の管理方法。
【請求項２】
異なる種類で各々複数個用意された金型を用いて作製され、製品の組立時に合体される樹脂成型品を管理する装置であって、
前記複数個用意された金型のうち、いずれの金型で作製した樹脂成型品であるかを識別するための識別情報が記憶された無線ＩＤタグを、樹脂成型品と一体成型する成型部と、  金型から取り出された樹脂成型品の前記無線ＩＤタグから前記識別情報を読み取る情報読み取り部と、
この読み取り結果に応じて、作製した金型毎に樹脂成型品を区別して仕分ける仕分け部とを備えたことを特徴とする樹脂成型品の管理装置。
【発明の詳細な説明】
【技術分野】
【０００１】
本発明は、異なる種類で各々複数個用意された金型を用いて作製され、製品の組立時に合体される樹脂成型品を管理する方法および装置に関する。
【背景技術】
【０００２】
樹脂成型品、例えばカメラの本体を構成するフロントカバーおよびリアカバーは、異なる種類で各々複数個用意された金型に１ショットで溶融樹脂を射出し、保圧・冷却した後、金型から一度に取り出されて作製される。これらフロントカバーおよびリアカバーは、製品の組立時にピンや接着剤などにより合体される。
【０００３】
樹脂成型品の別の例としては、ＩＣカードの樹脂基体内に無線ＩＤタグを内蔵させたものがある（特許文献１参照）。このＩＣカードは、金型内の所定位置に無線ＩＤタグを載置し、しかる後に溶融樹脂を射出することで作製される。
【０００４】
【特許文献１】特開平１１−３４８０７３号公報
【発明の開示】
【発明が解決しようとする課題】
【０００５】
フロントカバーおよびリアカバーの例のように、異なる種類で各々複数個用意された金型を用いて樹脂成型品を作製した場合、金型の設計誤差や、射出・保圧・冷却工程における条件誤差により、各金型で作製した樹脂成型品の寸法に差異が生じることがある。このため、製品の組立時にこれらを合体させた際に、合体部分に境目に段差が生じるなどして、製品の美観を損ねるおそれがあった。
【０００６】
上記問題に対処するために、従来は、製品としたときに目に触れない部分に金型の識別番号を刻印しておき、製品の組立作業者がこの識別番号を目視することにより選別を行っていた。しかしながら、この対処法では、組立に掛かる工数が嵩むため、生産コストの面で不利益になるという問題があった。
【０００７】
本発明は、上記課題を鑑みてなされたものであり、生産コストを削減させることができ、且つ確実に見栄えのよい製品を得ることができる樹脂成型品の管理方法および装置を提供することを目的とする。
【課題を解決するための手段】
【０００８】
上記目的を達成するために、本発明は、異なる種類で各々複数個用意された金型を用いて作製され、製品の組立時に合体される樹脂成型品を管理する方法であって、前記複数個用意された金型のうち、いずれの金型で作製した樹脂成型品であるかを識別するための識別情報が記憶された無線ＩＤタグを、樹脂成型品と一体成型した後、金型から取り出された樹脂成型品の前記無線ＩＤタグから前記識別情報を読み取り、この読み取り結果に応じて、作製した金型毎に樹脂成型品を区別して仕分けることを特徴とする。
【０００９】
また、本発明は、異なる種類で各々複数個用意された金型を用いて作製され、製品の組立時に合体される樹脂成型品を管理する装置であって、前記複数個用意された金型のうち、いずれの金型で作製した樹脂成型品であるかを識別するための識別情報が記憶された無線ＩＤタグを、樹脂成型品と一体成型する成型部と、金型から取り出された樹脂成型品の前記無線ＩＤタグから前記識別情報を読み取る情報読み取り部と、この読み取り結果に応じて、作製した金型毎に樹脂成型品を区別して仕分ける仕分け部とを備えたことを特徴とする。
【発明の効果】
【００１０】
本発明の樹脂成型品の管理方法および装置によれば、異なる種類で各々複数個用意された金型のうち、いずれの金型で作製した樹脂成型品であるかを識別するための識別情報が記憶された無線ＩＤタグを、成型部にて樹脂成型品と一体成型した後、金型から取り出された樹脂成型品の無線ＩＤタグから、情報読み取り部にて識別情報を読み取り、この読み取り結果に応じて、作製した金型毎に樹脂成型品を区別して仕分け部で仕分けるので、生産コストを削減させることができ、且つ確実に見栄えのよい製品を得ることができる。
【発明を実施するための最良の形態】
【００１１】
図１において、本発明を適用した樹脂成型品の管理装置２は、成型部１０、情報読み取り部１１、および仕分け部１２から構成される。この管理装置２は、成型部１０で作製された樹脂成型品（本実施形態では、カメラ本体を構成するフロントカバーＣｆ１〜Ｃｆ４およびリアカバーＣｒ１〜Ｃｒ４）１３の管理を行うものである。なお、管理装置２には、成型部１０から情報読み取り部１１、情報読み取り部１１から仕分け部１２へと樹脂成型品１３を運搬する図示しない搬送装置が設けられている。
【００１２】
図２に示すように、成型部１０は、フロントカバー用成型部１０ａとリアカバー用成型部１０ｂとからなる。各成型部１０ａ、１０ｂには、金型Ｄｆ１〜Ｄｆ４、Ｄｒ１〜Ｄｒ４、射出成型機２０ａ、２０ｂ、およびタグ供給機２１ａ、２１ｂが配置されている。金型Ｄｆ１〜Ｄｆ４と金型Ｄｒ１〜Ｄｒ４とは、それぞれ同形の金型であり、フロントカバーＣｆ１〜Ｃｆ４とリアカバーＣｒ１〜Ｃｒ４とを作製する。
【００１３】
射出成型機２０ａ、２０ｂは、金型Ｄｆ、Ｄｒにそれぞれ溶融樹脂を注入する。タグ供給機２１ａ、２１ｂは、射出成型機２０ａ、２０ｂから各金型Ｄｆ、Ｄｒに溶融樹脂が注入される前に、無線ＩＤタグＩＤｆ１〜ＩＤｆ４、ＩＤｒ１〜ＩＤｒ４を各金型Ｄｆ１〜Ｄｆ４、Ｄｒ１〜Ｄｒ４の所定位置に載置する。
【００１４】
図３に示すように、無線ＩＤタグＩＤｆ、ＩＤｒは、アンテナ３０を介してデータの無線通信を行う無線通信回路３１と、データを記憶するメモリ３２と、これらを制御する制御回路３３とを備えている。メモリ３２には、いずれの金型で作製した樹脂成型品であるかを識別するための識別情報（各金型固有のＩＤ番号など）が記憶されている。なお、無線ＩＤタグＩＤｆ、ＩＤｒの電源３４は、アンテナ３０が受信した電波から電磁誘導によって発電する。また、無線ＩＤタグＩＤｆ、ＩＤｒは、射出成型時の高温に耐えられるように、耐熱性を有する材料で表面を予めコーティングしてある。
【００１５】
図４に示すように、情報読み取り部１１は、フロントカバーＣｆ用、リアカバーＣｒ用のタグリーダ４０ａ、４０ｂと、判別回路４１ａ、４１ｂとからなる。タグリーダ４０ａ、４０ｂは、金型Ｄｆ、Ｄｒから取り出されたフロントカバーＣｆ、リアカバーＣｒの無線ＩＤタグＩＤｆ、ＩＤｒのメモリ３２に記憶された識別情報を読み取り、これを判別回路４１ａ、４１ｂに送信する。判別回路４１ａ、４１ｂは、タグリーダ４０ａ、４０ｂから送信された識別情報から、フロントカバーＣｆおよびリアカバーＣｒを作製した金型がＤｆ１〜Ｄｆ４、Ｄｒ１〜Ｄｒ４のいずれであるかを判別し、この判別結果を仕分け部１２に送信する。
【００１６】
図５に示すように、仕分け部１２は、金型Ｄｆ１〜Ｄｆ４、Ｄｒ１〜Ｄｒ４毎に仕切られた仕分けボックスＢｆ１〜Ｂｆ４、Ｂｒ１〜Ｂｒ４を備えている。この仕分け部１２は、情報読み取り部１１の判別回路４１ａ、４１ｂから送信された判別結果に応じて、フロントカバーＣｆおよびリアカバーＣｒを対応する仕分けボックスＢｆ、Ｂｒに区別して仕分ける。
【００１７】
次に、上記構成を有する管理装置２の動作について、図６のフローチャートを参照して説明する。まず、成型部１０にて、フロントカバーＣｆおよびリアカバーＣｒの射出成型前に、タグ供給機２１ａ、２１ｂにより、無線ＩＤタグＩＤｆ、ＩＤｒが各金型Ｄｆ、Ｄｒの所定位置に載置される。
【００１８】
無線ＩＤタグＩＤｆ、ＩＤｒの供給後、射出成型機２０ａ、２０ｂから溶融樹脂が各金型Ｄｆ、Ｄｒに注入され、保圧・冷却がなされた後、無線ＩＤタグＩＤｆ、ＩＤｒが一体成型されたフロントカバーＣｆおよびリアカバーＣｒが各金型Ｄｆ、Ｄｒから取り出される。各金型Ｄｆ、Ｄｒから取り出されたフロントカバーＣｆおよびリアカバーＣｒは、情報読み取り部１１に運搬される。
【００１９】
情報読み取り部１１では、タグリーダ４０ａ、４０ｂにより、フロントカバーＣｆおよびリアカバーＣｒの無線ＩＤタグＩＤｆ、ＩＤｒのメモリ３２に記憶された識別情報が読み取られ、これが判別回路４１ａ、４１ｂに送信される。判別回路４１ａ、４１ｂでは、タグリーダ４０ａ、４０ｂから送信された識別情報から、フロントカバーＣｆおよびリアカバーＣｒを作製した金型がＤｆ１〜Ｄｆ４、Ｄｒ１〜Ｄｒ４のいずれであるかが判別される。判別回路４１ａ、４１ｂの判別結果は、仕分け部１２に送信される。
【００２０】
仕分け部１２では、情報読み取り部１１の判別回路４１ａ、４１ｂから送信された判別結果に応じて、情報読み取り部１１から運搬されたフロントカバーＣｆおよびリアカバーＣｒが対応する仕分けボックスＢｆ、Ｂｒに区別して仕分けられる。仕分け部１２で各金型毎に仕分けられたフロントカバーＣｆおよびリアカバーＣｒは、製品組立工程に搬出される。
【００２１】
上記のように、フロントカバーＣｆおよびリアカバーＣｒの射出成型時に、いずれの金型で作製した樹脂成型品であるかを識別するための識別情報が記憶された無線ＩＤタグＩＤｆ、ＩＤｒを一体成型した後、情報読み取り部１１で識別情報を読み取り、これに応じて仕分け部１２でフロントカバーＣｆおよびリアカバーＣｒを仕分けるので、製品の組立時に、相性のよいフロントカバーＣｆおよびリアカバーＣｒの組み合わせの選別を簡単にすることができ、組立工数を削減させることができる。また、境目に段差などがない見栄えのよい製品を作製することができる。
【００２２】
上記実施形態では、カメラ本体を構成するフロントカバーＣｆおよびリアカバーＣｒの２種類を４個ずつ作製する例を挙げて説明したが、樹脂成型品の種類は２種類以上であってもよい。また、樹脂成型品の個数も特に制限はなく、仕様に応じて適宜変更することが可能である。さらに、樹脂成型品としては、上記実施形態で例示したフロントカバーＣｆおよびリアカバーＣｒに限らず、いかなる樹脂成型品についても本発明は適用することが可能である。
【図面の簡単な説明】
【００２３】
【図１】本発明を適用した樹脂成型品の管理装置の構成を示す概略図である。
【図２】成型部の構成を示す概略図である。
【図３】無線ＩＤタグの内部構成を示す図である。
【図４】情報読み取り部の内部構成を示す図である。
【図５】仕分け部の構成を示す概略図である。
【図６】管理装置の動作手順を示すフローチャートである。
【符号の説明】
【００２４】
２  管理装置
１０  成型部
１１  情報読み取り部
１２  仕分け部
２０ａ、２０ｂ  射出成型機
２１ａ、２１ｂ  タグ供給機
３２  メモリ
４０ａ、４０ｂ  タグリーダ
４１ａ、４１ｂ  判別回路
Ｃｆ  フロントカバー
Ｃｒ  リアカバー
Ｄｆ、Ｄｒ  金型
ＩＤｆ、ＩＤｒ  無線ＩＤタグ
Ｂｆ、Ｂｒ  仕分けボックス
【図１】
2005335178.tif 000003
【図２】
2005335178.tif 000004
【図３】
2005335178.tif 000005
【図４】
2005335178.tif 000006
【図５】
2005335178.tif 000007
【図６】
2005335178.tif 000008